(57)【要約】【課題】施工作業の効率を向上させることができる分割枠材、及び該分割枠材を用いた建具を提供する。【解決手段】分割枠材１０は、室内側見付け片２１と、室外側見付け片２２とを有する縦枠１６ｄと、室内側見付け片２１と連結される室内側見付け片２５と、室外側見付け片２２と連結される室外側見付け片２６とを有する縦枠１６ｃと、を連結した構成である。分割枠材１０は、室内側見付け片２１，２５間の連結部である室内側連結部３５ａ、及び、室外側見付け片２２，２６間の連結部である室外側連結部３５ｂのうち、少なくとも一方の連結部には、連結される見付け片間の見付け方向での連結位置を複数位置に選択的に調整可能な位置合わせ部を備える。【選択図】図３Ａ
2020180501.tif 000002
【特許請求の範囲】
【請求項１】
第１室内側見付け片と、第１室外側見付け片とを有する第１の枠材と、
前記第１室内側見付け片と連結される第２室内側見付け片と、前記第１室外側見付け片と連結される第２室外側見付け片とを有する第２の枠材と、
を備え、前記第１の枠材と前記第２の枠材とを連結した分割枠材であって、
前記第１室内側見付け片と前記第２室内側見付け片との連結部である室内側連結部、及び、前記第１室外側見付け片と前記第２室外側見付け片との連結部である室外側連結部のうち、少なくとも一方の連結部には、連結される見付け片間の見付け方向での連結位置を複数位置に選択的に調整可能な位置合わせ部を備えることを特徴とする分割枠材。
【請求項２】
請求項１に記載の分割枠材であって、
前記第１室内側見付け片と前記第２室内側見付け片とに跨るように設けられ、前記第１室内側見付け片及び前記第２室内側見付け片のそれぞれに対してねじで固定された連結部材を備え、
少なくとも前記位置合わせ部は、前記室内側連結部に設けられた室内側位置合わせ部を有し、
前記室内側位置合わせ部は、前記連結部材と前記第１室内側見付け片との見付け方向での固定位置と、前記連結部材と前記第２室内側見付け片との見付け方向での固定位置と、をそれぞれ複数有することを特徴とする分割枠材。
【請求項３】
請求項２に記載の分割枠材であって、
前記室内側位置合わせ部は、前記第１室内側見付け片及び前記連結部材の一方に設けられた第１凸部と、
前記第１室内側見付け片及び前記連結部材の他方に設けられ、前記第１凸部が挿入される第１凹部と、
前記第２室内側見付け片及び前記連結部材の一方に設けられた第２凸部と、
前記第２室内側見付け片及び前記連結部材の他方に設けられ、前記第２凸部が挿入される第２凹部と、を有し、
前記第１凸部は、見付け方向で前記第１凹部の中央に配置された第１位置、見付け方向で前記第１凹部の一側面に当接した第２位置、及び、見付け方向で前記第１凹部の他側面に当接した第３位置のいずれか１つの位置に配置され、
前記第２凸部は、見付け方向で前記第２凹部の中央に配置された第１位置、見付け方向で前記第２凹部の一側面に当接した第２位置、及び、見付け方向で前記第２凹部の他側面に当接した第３位置のいずれか１つの位置に配置されていることを特徴とする分割枠材。
【請求項４】
請求項３に記載の分割枠材であって、
前記連結部材は、前記第１の枠材に固定するための前記ねじが挿通される第１貫通孔と、前記第２の枠材に固定するための前記ねじが挿通される第２貫通孔と、を有し、
前記第１貫通孔は、前記第１位置、前記第２位置、及び前記第３位置に対応するように、見付け方向で互いに位置ずれするように複数設けられ、
前記第２貫通孔は、前記第１位置、前記第２位置、及び前記第３位置に対応するように、見付け方向で互いに位置ずれするように複数設けられていることを特徴とする分割枠材。
【請求項５】
請求項２〜４のいずれか１項に記載の分割枠材であって、
さらに、前記第１室内側見付け片と前記第２室内側見付け片とを覆うカバー部材を備え、
前記カバー部材は、前記連結部材に取り付けられていることを特徴とする分割枠材。
【請求項６】
請求項２〜５のいずれか１項に記載の分割枠材であって、
前記位置合わせ部は、さらに、前記室外側連結部に設けられた室外側位置合わせ部を有し、
前記室外側位置合わせ部は、前記第１室外側見付け片及び前記第２室外側見付け片の一方に設けられた係止片と、
前記第１室外側見付け片及び前記第２室外側見付け片の他方に設けられ、前記係止片を係止する係止部と、を有し、
前記係止部は、見付け方向で並列するように複数設けられていることを特徴とする分割枠材。
【請求項７】
請求項１に記載の分割枠材であって、
前記位置合わせ部は、前記室内側連結部に設けられた室内側位置合わせ部と、前記室外側連結部に設けられた室外側位置合わせ部と、を有し、
前記室内側位置合わせ部は、前記第１室内側見付け片及び前記第２室内側見付け片の一方に設けられた室内側係止片と、
前記第１室内側見付け片及び前記第２室内側見付け片の他方に設けられ、前記室内側係止片を係止する室内側係止部と、を有し、
前記室外側位置合わせ部は、前記第１室外側見付け片及び前記第２室外側見付け片の一方に設けられた室外側係止片と、
前記第１室外側見付け片及び前記第２室外側見付け片の他方に設けられ、前記室外側係止片を係止する室外側係止部と、を有し、
前記室内側係止部及び前記室外側係止部は、見付け方向で並列するように複数設けられていることを特徴とする分割枠材。
【請求項８】
請求項１〜７のいずれか１項に記載の分割枠材を備えた建具であって、
前記第１の枠材で構成された左縦枠と、右縦枠と、上枠と、下枠とを枠組みした第１の窓枠と、
前記第２の枠材で構成された右縦枠と、左縦枠と、上枠と、下枠とを枠組みした第２の窓枠と、
を備えることを特徴とする建具。
【発明の詳細な説明】
【技術分野】
【０００１】
本発明は、分割枠材、及び該分割枠材を用いた建具に関する。
【背景技術】
【０００２】
ビルや店舗等の建物は、例えばエントランス回りに複数の窓を並列した連窓が設置される場合がある。連窓には、施工性や外観の向上を図るため、隣接する窓枠の縦枠同士を連結した分割枠材（割方立）を用いることがある（例えば特許文献１参照）。
【先行技術文献】
【特許文献】
【０００３】
【特許文献１】特開２００２−７０２２５号公報
【発明の概要】
【発明が解決しようとする課題】
【０００４】
連窓は、連結される窓数が多くなるほど各窓枠の製造公差が積算されるため、分割枠材を構成する左右の枠材同士を見付け方向で精度よく位置決めすることが難しいことがある。そうすると、連窓は、施工現場で窓枠の切断作業や建物躯体の斫り作業等の応急処置が必要となり、施工作業の効率が低下するだけでなく、漏水等の要因にもなる。
【０００５】
本発明は、上記従来技術の課題を考慮してなされたものであり、施工作業の効率を向上させることができる分割枠材、及び該分割枠材を用いた建具を提供することを目的とする。
【課題を解決するための手段】
【０００６】
本発明に係る分割枠材は、第１室内側見付け片と、第１室外側見付け片とを有する第１の枠材と、前記第１室内側見付け片と連結される第２室内側見付け片と、前記第１室外側見付け片と連結される第２室外側見付け片とを有する第２の枠材と、を備え、前記第１の枠材と前記第２の枠材とを連結した分割枠材であって、前記第１室内側見付け片と前記第２室内側見付け片との連結部である室内側連結部、及び、前記第１室外側見付け片と前記第２室外側見付け片との連結部である室外側連結部のうち、少なくとも一方の連結部には、連結される見付け片間の見付け方向での連結位置を複数位置に選択的に調整可能な位置合わせ部を備えることを特徴とする。
【発明の効果】
【０００７】
本発明によれば、施工作業の効率を向上させることができる。
【図面の簡単な説明】
【０００８】
【図１】第１の実施形態に係る分割枠材を用いた建具を室外側から見た姿図である。
【図２】図１に示す建具の横断面図である。
【図３Ａ】図２に示す分割枠材の横断面図である。
【図３Ｂ】図３Ａに示す分割枠材の見付け方向の幅を縮小した状態での横断面図である。
【図３Ｃ】図３Ａに示す分割枠材の見付け方向の幅を拡大した状態での横断面図である。
【図４Ａ】連結部材の平面図である。
【図４Ｂ】連結部材の正面図である。
【図５】分割枠材に連結部材及びカバー部材を取り付ける状態を示す分割斜視図である。
【図６Ａ】第２の実施形態に係る分割枠材の横断面図である。
【図６Ｂ】図６Ａに示す分割枠材の見付け方向の幅を縮小した状態での横断面図である。
【図６Ｃ】図６Ａに示す分割枠材の見付け方向の幅を拡大した状態での横断面図である。
【図７】図６Ａに示す分割枠材に連結部材及びカバー部材を取り付ける状態を示す分割斜視図である。
【発明を実施するための形態】
【０００９】
以下、本発明に係る分割枠材及び建具について好適な実施の形態を挙げ、添付の図面を参照しながら詳細に説明する。
【００１０】
先ず、第１の実施形態に係る分割枠材１０について説明する。図１及び図２に示すように、本実施形態の分割枠材１０は、例えば建物１１のエントランス回りに設置される建具１２に用いられる。建具１２は、ガラス板１４を支持した窓枠１６を左右方向に複数並列して連結した連窓である。本実施形態の建具１２は、例えば窓枠１６を１０個連結した構成である。窓枠１６の連結数は２以上であればよい。
【００１１】
窓枠１６は、上枠１６ａと、下枠１６ｂと、左右一対の縦枠１６ｃ，１６ｄとを枠組みしたものである。分割枠材１０は、隣接する窓枠１６，１６間の縦枠１６ｃ，１６ｄを連結した構成である。なお、図１中で左端の窓枠１６は、縦枠１６ｃの代わりに縦枠１６ｅを備える。縦枠１６ｅは、隣接する他の窓枠１６がなく、建物１１の躯体に固定される（図２参照）。同様に、図１中で右端の窓枠１６は、縦枠１６ｄの代わりに縦枠１６ｅと左右対称形状の縦枠１６ｆを備える。縦枠１６ｆも建物１１の躯体に固定される。各枠１６ａ〜１６ｆは、例えばアルミニウムやアルミニウム合金の押出形材である。
【００１２】
本出願において、見込み方向とは建具１２の室内外方向、つまり室内側から室外側に向かう方向又はその逆方向（図中に矢印Ｙで示す方向）をいう。見込み面とは見込み方向に沿って延在する面をいう。見付け方向とは見込み方向に直交する方向であり、上下方向に長尺な縦枠１６ｃ等の場合はその長手方向に直交する左右方向（図中に矢印Ｘで示す方向）をいい、左右方向に長尺な上枠１６ａ等の場合はその長手方向に直交する上下方向（図中に矢印Ｚで示す方向）をいう。見付け面とは見付け方向に沿った面をいう。見付け片とは見付け方向に沿った板片をいう。枠状部材の内側（内周）とは、例えば窓枠１６の枠内部分をいう。枠状部材の外側（外周）とは、例えば窓枠１６の建物躯体に固定される枠外部分をいう。また、枠状部材の外側から内側に向かう方向を枠内方向といい、枠状部材の内側から外側に向かう方向を枠外方向という。
【００１３】
図１及び図２に示すように、各枠１６ａ〜１６ｆは、その枠内側見込み面でガラス板１４を支持している。縦枠１６ｃ〜１６ｆの枠内側見込み面には、突出片１８と、押縁１９とが設けられている。突出片１８は、枠内側見込み面の室外側端部から枠内側へと突出している。押縁１９は、枠内側見込み面の室内外方向で略中央に装着され、枠内側に張り出している。ガラス板１４は、突出片１８と押縁１９との間で、例えばグレイジングビードを介して支持されている。上枠１６ａ及び下枠１６ｂについても、縦枠１６ｃ等と同様な構成でガラス板１４を支持している。
【００１４】
図３Ａに示すように、分割枠材１０は、左右の縦枠１６ｃ，１６ｄを連結したものであり、中空の角柱状を成している。分割枠材１０は、いわゆる分割方立或いは割方立と呼ばれるものである。詳細は後述するが、分割枠材１０は、縦枠１６ｃ，１６ｄの見付け方向での連結位置を３段階に調整可能である。
【００１５】
図３Ａ中で左側の縦枠（左縦枠）１６ｄは、見込み片２０と、室内側見付け片２１と、室外側見付け片２２とを有する。図３Ａ中の参照符号１９ａ，１９ｂは、押縁１９が装着される爪部である。
【００１６】
見込み片２０は、分割枠材１０の見込み方向に沿った平板状部分である。突出片１８及び爪部１９ａ，１９ｂは、見込み片２０に設けられている。室内側見付け片（第１室内側見付け片）２１は、見込み片２０の室内側端部から枠外方向（縦枠１６ｃ側）に突出した突出片である。室内側見付け片２１は、分割枠材１０の室内側見付け面の左半部を構成する。室外側見付け片（第１室外側見付け片）２２は、見込み片２０の室外側端部から枠外方向に突出した突出片である。
【００１７】
室内側見付け片２１の端部には、室外側へと凹んだ凹部（第１凹部）２１ａが設けられている。凹部２１ａは、底部の見付け方向で中央に罫書線（位置決め線２１ｂ）が形成されている。位置決め線２１ｂは、凹部２１ａの底部を微小に凹ませた溝部であり、長手方向に延在している。室外側見付け片２２の端部には、室外側へと屈曲した係止片２２ａが設けられている。係止片２２ａは、見込み方向に沿って設けられた板片である。
【００１８】
図３Ａ中で右側の縦枠（右縦枠）１６ｃは、見込み片２４と、室内側見付け片２５と、室外側見付け片２６とを有する。室内側見付け片（第２室内側見付け片）２５は、縦枠１６ｄの室内側見付け片２１と連結される部分である。室外側見付け片（第２室外側見付け片）２６は、縦枠１６ｄの室外側見付け片２２と連結される部分である。
【００１９】
見込み片２４は、分割枠材１０の見込み方向に沿った平板状部分である。突出片１８及び爪部１９ａ，１９ｂは、見込み片２４に設けられている。室内側見付け片２５は、見込み片２４の室内側端部から枠外方向（縦枠１６ｄ側）に突出した突出片である。室内側見付け片２５は、分割枠材１０の室内側見付け面の右半部を構成する。室外側見付け片２６は、見込み片２４の室外側端部から枠外方向に突出した突出片である。
【００２０】
室内側見付け片２５の端部には、室外側へと凹んだ凹部（第２凹部）２５ａが設けられている。凹部２５ａの底部には、凹部２１ａの位置決め線２１ｂと同様な位置決め線２５ｂが形成されている。室内側見付け片２５は、室内側見付け片２１と突き合うように配置される。具体的には、室内側見付け片２５は、その先端面２５ｃが、縦枠１６ｄの室内側見付け片２１の先端面２１ｃと対向配置される。先端面２１ｃ，２５ｃは、縦枠１６ｄ，１６ｃ間の連結位置により、当接又は離間する（図３Ａ〜図３Ｃ参照）。
【００２１】
室外側見付け片２６は、室外側見付け片２２の室外側に重ねて配置される。室外側見付け片２６の室内側見付け面には、突出方向で根元側から順に、係止部２６ａ、係止部２６ｂ、係止部２６ｃ、及びポケット部２６ｄが並設されている。係止部２６ａ〜２６ｃは、縦枠１６ｄの係止片２２ａを係合可能な幅を持った溝状の凹部である。これにより係止片２２ａは、係止部２６ａ〜２６ｃのいずれかに選択的に係合し、係止される。ポケット部２６ｄは、タイト材２８の装着溝である。タイト材２８は、縦枠１６ｃ，１６ｄ間の水密性を確保するシール材である。タイト材２８は、縦枠１６ｃ，１６ｄの連結位置に関わらず、常に縦枠１６ｄの室外側見付け片２２の室外側見付け面２２ｂに密着する位置にある。
【００２２】
図３Ａに示すように、分割枠材１０は、さらに、連結部材３０と、カバー部材３２とを備える。
【００２３】
連結部材３０は、縦枠１６ｄ，１６ｃの室内側見付け片２１，２５間を連結する部材である。図３Ａ、図４Ａ及び図４Ｂに示すように、連結部材３０は、室内側見付け片２１，２５の室内側見付け面に跨るように設けられる。連結部材３０は、基部３０ａと、左右一対の凸部（第１凸部）３０ｂ及び凸部（第２凸部）３０ｃと、左右一対の取付片３０ｄ，３０ｅとを有する。基部３０ａは、室内側見付け片２１，２５の室内側見付け面に当接する平板状部分である。連結部材３０は、その長手方向寸法が縦枠１６ｃ，１６ｄの長手方向寸法よりも短いピースの部品である（図５参照）。連結部材３０は、縦枠１６ｃ，１６ｄの長手方向で複数個が適宜間隔で並んで設けられる。
【００２４】
基部３０ａには、第１貫通孔３１ａ，３１ｂ，３１ｃ及び第２貫通孔３２ａ，３２ｂ，３２ｃが形成されている。第１貫通孔３１ａ〜３１ｃは、互いに見付け方向（Ｘ方向）に位置ずれしつつ、長手方向（Ｚ方向）に並んでいる。第２貫通孔３２ａ〜３２ｃは、互いに見付け方向（Ｘ方向）に位置ずれしつつ、長手方向（Ｚ方向）に並んでいる。各貫通孔３１ａ〜３１ｃ，３２ａ〜３２ｃは、貫通孔３１ａ，３２ａの組と、貫通孔３１ｂ，３２ｂの組と、貫通孔３１ｃ，３２ｃの組との３組に分けることができ、各組が選択的に使用される。本実施形態の場合、図４Ａ中で中段の組である貫通孔３１ｂ，３２ｂ間のピッチが最小であり、下段の組である貫通孔３１ｃ，３２ｃ間のピッチが最大であり、上段の組である貫通孔３１ａ，３２ａ間のピッチが中間となっている。基部３０ａの室内側見付け面には、長手方向に延びた罫書線（ねじ打ち線３０ｆ）が左右一対設けられている。
【００２５】
なお、一方の縦枠１６ｄの室内側見付け片２１には、第１貫通孔３１ａ，３１ｂ，３１ｃと一致する３個のねじ孔３３ａ，３３ｂ，３３ｃが予め形成されている（図５参照）。これに対し、他方の縦枠１６ｃの室内側見付け片２５には、ねじ孔は形成されておらず、分割枠材１０の構成時に後述するドリルねじ（ねじ３４ｂ）で穿孔される。
【００２６】
凸部３０ｂ，３０ｃは、左右の縦枠１６ｄ，１６ｃの室内側見付け片２１，２５の見付け方向での連結位置を規定する部分である。凸部３０ｂ，３０ｃは、基部３０ａの室外側見付け面から突出しており、見付け方向に並んでいる。凸部３０ｂ，３０ｃは、それぞれ凹部２１ａ，２５ａに挿入される。
【００２７】
取付片３０ｄ，３０ｅは、カバー部材３２の取付部である。取付片３０ｄ，３０ｅは、それぞれ基部３０ａの室内側見付け面の見付け方向端部から室内側へと突出している。取付片３０ｄ，３０ｅは、先端に返しを有する係合片である。カバー部材３２は、断面略コ字状の形材である。カバー部材３２は、取付片３０ｄ，３０ｅを跨いだ状態で取付片３０ｄ，３０ｅに係合することで、連結部材３０に装着される。カバー部材３２は、連結部材３０の室内側見付け面を覆ってねじ３４ａ，３４ｂを隠すカバーである。
【００２８】
図３Ａ〜図３Ｃに示すように、分割枠材１０は、室内側見付け片２１，２５が連結部材３０を介して互いに連結され、室外側見付け片２２，２６が互いに連結されて構成される。分割枠材１０は、室内側位置合わせ部３６と、室外側位置合わせ部３７を有する。位置合わせ部３６，３７は、縦枠１６ｃ，１６ｄの見付け方向での連結位置を図３Ａに示す標準位置（第１位置）、図３Ｂに示す縮小位置（第２位置）、図３Ｃに示す拡大位置（第３位置）の３段階に調整可能である。位置合わせ部３６，３７は、２段階又は４段階以上に調整可能な構成でもよい。
【００２９】
室内側位置合わせ部３６は、室内側見付け片２１，２５の連結部（室内側連結部３５ａ）に設けられ、室内側見付け片２１，２５間の見付け方向での連結位置を調整する部分である。室内側位置合わせ部３６は、室内側見付け片２１，２５の凹部２１ａ，２５ａと、連結部材３０の凸部３０ｂ，３０ｃとで構成されている。室内側位置合わせ部３６は、凹部２１ａ，２５ａに凸部３０ｂ，３０ｃをそれぞれ挿入し、凹部２１ａ，２５ａ内での凸部３０ｂ，３０ｃの見付け方向位置を選択することで連結位置を調整する。
【００３０】
室外側位置合わせ部３７は、室外側見付け片２２，２６連結部（室外側連結部３５ｂ）に設けられ、室外側見付け片２２，２６間の見付け方向での連結位置を調整する部分である。室外側位置合わせ部３７は、室外側見付け片２２の係止片２２ａと、室外側見付け片２６の係止部２６ａ〜２６ｃとで構成されている。室外側位置合わせ部３７は、係止片２２ａを係止部２６ａ〜２６ｃのいずれかに選択的に係合させることで連結位置を調整する。
【００３１】
図３Ａに示すように、位置合わせ部３６，３７を標準位置とし、分割枠材１０の見付け幅を標準幅に設定する場合は、室外側位置合わせ部３７を標準位置とした後、室内側位置合わせ部３６を標準位置とする。具体的には、先ず、係止片２２ａを係止部２６ａ〜２６ｃの中央の係止部２６ｂに係止させる。これにより室外側見付け片２２，２６が標準位置で連結される。そうすると、室内側見付け片２１，２５は、先端面２１ｃ，２５ｃ間がある程度の隙間を介して対向した位置となる。
【００３２】
次に、連結部材３０を室内側見付け片２１，２５に跨るように設け、凸部３０ｂ，３０ｃを凹部２１ａ，２５ａの見付け方向で中央に配置する。この際、凸部３０ｂ，３０ｃと凹部２１ａ，２５ａとの位置合わせは、例えば使用する貫通孔３１ｂ，３２ｂを通して室内側見付け片２１，２５を目視し、貫通孔３１ｂ，３２ｂの中心に位置決め線２１ｂ，２５ｂを一致させることで、容易に且つ正確に行うことができる。続いて、連結部材３０の貫通孔３１ｂ，３２ｂにねじ３４ａ，３４ｂを挿通させ、連結部材３０と室内側見付け片２１，２５とを締結する。貫通孔３１ｂ，３２ｂは、３組中で最小ピッチの組である。ねじ３４ａは、貫通孔３１ｂを通してねじ孔３３ｂに螺合する。ねじ３４ｂは、例えばドリルねじであり、室内側見付け片２５に穿孔される。ねじ３４ｂがドリルねじでない場合、室内側見付け片２５側に雌ねじを形成すればよい。ねじ３４ａはドリルねじであってもよく、この場合、ねじ孔３３ａ〜３３ｃを設けなくてもよい。これにより室内側見付け片２１，２５が標準位置で連結される。以上より、分割枠材１０の見付け幅が図３Ａに示す標準幅に設定される。最後に、カバー部材３２を連結部材３０に取り付けることで標準幅の分割枠材１０が完成する。
【００３３】
図３Ｂに示すように、位置合わせ部３６，３７を縮小位置とし、分割枠材１０の見付け幅を最小幅に設定する場合は、先ず、係止片２２ａを係止部２６ａ〜２６ｃの右端の係止部２６ａに係止させる。これにより室外側見付け片２２，２６が縮小位置で容易に且つ正確に連結される。そうすると、室内側見付け片２１，２５は、先端面２１ｃ，２５ｃ同士が当接した位置となる。
【００３４】
次に、連結部材３０を室内側見付け片２１，２５に跨るように位置に設け、凸部３０ｂを凹部２１ａの枠内側の側面２１ｄに当接させ、凸部３０ｃを凹部２５ａの枠内側の側面２５ｄに当接させる。続いて、連結部材３０の貫通孔３１ｃ，３２ｃにねじ３４ａ，３４ｂを挿通させ、連結部材３０と室内側見付け片２１，２５とを締結する。貫通孔３１ｃ，３２ｃは、３組中で最大ピッチの組である。これにより室内側見付け片２１，２５が縮小位置で容易に且つ正確に連結される。以上より、分割枠材１０の見付け幅が図３Ｂに示す最小幅に設定される。最後に、カバー部材３２を連結部材３０に取り付けることで最小幅の分割枠材１０が完成する。
【００３５】
図３Ｃに示すように、位置合わせ部３６，３７を拡大位置とし、分割枠材１０の見付け幅を最大幅に設定する場合は、先ず、係止片２２ａを係止部２６ａ〜２６ｃの左端の係止部２６ｃに係止させる。これにより室外側見付け片２２，２６が拡大位置で連結される。そうすると、室内側見付け片２１，２５は、先端面２１ｃ，２５ｃ間が大きく離間して対向した位置となる。
【００３６】
次に、連結部材３０を室内側見付け片２１，２５に跨るように設け、凸部３０ｂを凹部２１ａの枠外側の側面２１ｅに当接させ、凸部３０ｃを凹部２５ａの枠外側の側面２５ｅに当接させる。続いて、連結部材３０の貫通孔３１ａ，３２ａにねじ３４ａ，３４ｂを挿通させ、連結部材３０と室内側見付け片２１，２５とを締結する。貫通孔３１ａ，３２ａは、３組中で中間ピッチの組である。これにより室内側見付け片２１，２５が拡大位置で連結される。以上より、分割枠材１０の見付け幅が図３Ｂに示す最大幅に設定される。最後に、カバー部材３２を連結部材３０に取り付けることで最大幅の分割枠材１０が完成する。
【００３７】
以上のように、当該分割枠材１０は、それぞれ複数段で連結位置を調整可能な室内側位置合わせ部３６及び室外側位置合わせ部３７を備える。これにより、縦枠１６ｃ，１６ｄ間は、予め設定された複数の連結位置のいずれかで選択的に連結することができる。このため、当該分割枠材１０は、連窓される各窓枠１６の製造公差や建物１１の躯体に形成した開口部の公差等の影響を吸収しながら施工することができる。これにより当該分割枠材１０は、施工現場で窓枠１６の切断作業や建物１１の躯体の斫り作業等の応急処置を不要或いは低減することができ、施工作業の効率を向上させることができる。しかも位置合わせ部３６，３７は、連結位置を段階的に設定することができる。このため、施工現場での細かな位置調整作業が不要であり、例えば標準位置に対してプラスかマイナスかを判断するだけで円滑に所望の連結位置に調整することができ、施工作業の効率が極めて高い。
【００３８】
当該分割枠材１０の室内側位置合わせ部３６は、室内側見付け片２１，２５間を連結部材３０を用いて位置決めして連結している。このため、室内側位置合わせ部３６は、突き合せに配置した室内側見付け片２１，２５に連結部材３０を当ててねじ止めするだけでよい。その結果、施工作業の効率が一層向上する。
【００３９】
当該分割枠材１０は、室内側見付け片２１，２５間を締結するねじ３４ａ，３４ｂを覆うカバー部材３２を連結部材３０に装着している。このため、図３Ａ〜図３Ｃに示されるように、縦枠１６ｃ，１６ｄ間の連結位置に関わらず、常にカバー部材３２が分割枠材１０の見込み幅の中央に配置される。その結果、分割枠材１０の外観意匠が向上する。
【００４０】
連結部材３０は、第１貫通孔３１ａ〜３１ｃ及び第２貫通孔３２ａ〜３２ｃが、その長手方向（Ｚ方向）で位置ずれしている。このため、縦枠１６ｃ，１６ｄ間の連結位置の調整幅が例えば数ｍｍ程度であっても、第１貫通孔３１ａ〜３１ｃ同士或いは第２貫通孔３２ａ〜３２ｃが合体してしまうような不具合を生じることがない。
【００４１】
次に、第２の実施形態に係る分割枠材１０Ａについて説明する。第２の実施形態に係る分割枠材１０Ａにおいて、上記第１の実施形態に係る分割枠材１０と同一又は同様な機能及び効果を奏する要素には同一の参照符号を付し、詳細な説明を省略する。
【００４２】
図６Ａに示すように、本実施形態の分割枠材１０Ａは、上記した図３Ａ等に示す分割枠材１０の室内側見付け片２１，２５及び室内側位置合わせ部３６とは構成の異なる室内側見付け片４０，４１及び室内側位置合わせ部４２を備える。
【００４３】
縦枠１６ｄの室内側見付け片（第１室内側見付け片）４０は、見込み片２０の室外側端部から枠外方向に突出した突出片である。室内側見付け片４０の室外側見付け面には、係止片（室内側係止片）４０ａが設けられている。係止片４０ａは、室内側見付け片４０の見付け方向中央よりも見込み片２０寄りの位置に設けられた板片である。室内側見付け片４０の室内側見付け面には、見付け方向中央よりも枠外側となる位置に罫書線（ねじ打ち線４０ｂ）が形成されている。室内側見付け片４０の室内側見付け面の両端部には、取付片３０ｄ，３０ｅが設けられている。取付片３０ｄ，３０ｅは、カバー部材３２の取付部である。
【００４４】
縦枠１６ｃの室内側見付け片（第２室内側見付け片）４１の端部には、突出方向で根元側から順に係止部４１ａ，４１ｂが設けられている。係止部４１ａ，４１ｂは、室内側見付け片４１を室外側へと凹ませた凹状の溝部である。係止部４１ａ，４１ｂは、縦枠１６ｄの係止片４０ａを係合可能な幅を有する。これにより係止片４０ａは、係止部４１ａ，４１ｂのいずれかに選択的に係合し係止される。さらに、係止片４０ａは、室内側見付け片４１の先端面で形成した係止部４１ｃで係止することもできる（図６Ｃ参照）。
【００４５】
一方の縦枠１６ｄの室内側見付け片４０には、貫通孔４３が予め形成されている（図７参照）。貫通孔４３は、縦枠１６ｃ，１６ｄ間が標準位置、縮小位置、拡大位置に設定される際、ねじ４４が挿通される孔部である。
【００４６】
室内側位置合わせ部４２は、室内側見付け片４０，４１の連結部（室内側連結部３５ｃ）に設けられ、室内側見付け片４０，４１間の見付け方向での連結位置を調整する部分である。室内側位置合わせ部４２は、室内側見付け片４０の係止片４０ａと、室内側見付け片４１の係止部（室内側係止部）４１ａ〜４１ｃとで構成されている。室内側位置合わせ部４２は、係止片４０ａを係止部４１ａ〜４１ｃのいずれかで選択的に係止させることで連結位置を調整する。位置合わせ部４２，３７は、３段階以外、２段階又は４段階以上に調整可能な構成でもよい。
【００４７】
図６Ａに示すように、位置合わせ部４２，３７を標準位置とし、分割枠材１０Ａの見付け幅を標準幅に設定する場合は、室外側位置合わせ部３７を標準位置とし、略同時に室内側位置合わせ部４２を標準位置とする。具体的には、先ず、係止片（室外側係止片）２２ａを係止部（室外側係止部）２６ａ〜２６ｃの中央の係止部２６ｂに係止させる。これにより室外側見付け片２２，２６が標準位置で連結される。略同時に、係止片４０ａを係止部４１ａ〜４１ｃの中央の係止部４１ｂに係止させる。続いて、例えばドリルねじであるねじ４４を、室内側見付け片４０の貫通孔４３を通して室内側見付け片４１に穿孔させて締結する。これにより室内側見付け片４０，４１が標準位置で連結される。以上より、分割枠材１０Ａの見付け幅が図６Ａに示す標準幅に設定される。最後に、カバー部材３２を室内側見付け片４０に取り付けることで標準幅の分割枠材１０Ａが完成する。
【００４８】
図６Ｂに示すように、位置合わせ部４２，３７を縮小位置とし、分割枠材１０Ａの見付け幅を最小幅に設定する場合は、先ず、係止片２２ａを係止部２６ａ〜２６ｃの右端の係止部２６ａに係止させる。略同時に、係止片４０ａを係止部４１ａ〜４１ｃの右端の係止部４１ａに係止させる。続いて、ねじ４４を、室内側見付け片４０の貫通孔４３を通して室内側見付け片４１に穿孔させて締結する。これにより分割枠材１０Ａの見付け幅が図６Ｂに示す最小幅に設定される。最後に、カバー部材３２を室内側見付け片４０に取り付けることで最小幅の分割枠材１０Ａが完成する。
【００４９】
図６Ｃに示すように、位置合わせ部４２，３７を拡大位置とし、分割枠材１０Ａの見付け幅を最大幅に設定する場合は、先ず、係止片２２ａを係止部２６ａ〜２６ｃの左端の係止部２６ｃに係止させる。略同時に、係止片４０ａを係止部４１ａ〜４１ｃの左端の係止部４１ｃに係止させる。続いて、ねじ４４を、室内側見付け片４０の貫通孔４３を通して室内側見付け片４１に穿孔させて締結する。これにより分割枠材１０Ａの見付け幅が図６Ｃに示す最大幅に設定される。最後に、カバー部材３２を室内側見付け片４０に取り付けることで最大幅の分割枠材１０Ａが完成する。
【００５０】
以上のように、当該分割枠材１０Ａは、上記分割枠材１０と比べて連結部材３０を用いずに縦枠１６ｃ，１６ｄの連結位置を複数位置に調整できる。このため、分割枠材１０Ａは、部品点数が低減され、製品コストが低減される。
【００５１】
本発明に係る分割枠材は、第１室内側見付け片と、第１室外側見付け片とを有する第１の枠材と、前記第１室内側見付け片と連結される第２室内側見付け片と、前記第１室外側見付け片と連結される第２室外側見付け片とを有する第２の枠材と、を備え、前記第１の枠材と前記第２の枠材とを連結した分割枠材であって、前記第１室内側見付け片と前記第２室内側見付け片との連結部である室内側連結部、及び、前記第１室外側見付け片と前記第２室外側見付け片との連結部である室外側連結部のうち、少なくとも一方の連結部には、連結される見付け片間の見付け方向での連結位置を複数位置に選択的に調整可能な位置合わせ部を備えることを特徴とする。このような構成によれば、第１の枠材と第２の枠材とを、予め設定された複数の連結位置のいずれかで選択的に連結することができる。このため、当該分割枠材は、例えば連窓される各窓枠の製造公差や建物の躯体に形成した開口部の公差等の影響を吸収しながら施工することができる。これにより、施工現場で窓枠の切断作業や建物の躯体の斫り作業等の応急処置を不要或いは低減することができ、施工作業の効率を向上させることができる。なお、見付け片と見付け片とが連結される、とは、例えば第１室内側見付け片と第２室内側見付け片との場合、上記第２の実施形態のように第１室内側見付け片と第２室内側見付け片とが互いに当接して直接的に連結される構成だけでなく、上記第１の実施形態のように第１室内側見付け片と第２室内側見付け片とが間に他の部材を介して間接的に連結される構成をも含むことは言うまでもない。
【００５２】
本発明に係る分割枠材において、前記第１室内側見付け片と前記第２室内側見付け片とに跨るように設けられ、前記第１室内側見付け片及び前記第２室内側見付け片のそれぞれに対してねじで固定された連結部材を備え、少なくとも前記位置合わせ部は、前記室内側連結部に設けられた室内側位置合わせ部を有し、前記室内側位置合わせ部は、前記連結部材と前記第１室内側見付け片との見付け方向での固定位置と、前記連結部材と前記第２室内側見付け片との見付け方向での固定位置と、をそれぞれ複数有する構成としてもよい。そうすると、室内側位置合わせ部は、適宜位置に配置された各室内側見付け片に連結部材を当ててねじ止めするだけでその連結位置を固定できる。その結果、施工作業の効率が一層向上する。
【００５３】
本発明に係る分割枠材において、前記室内側位置合わせ部は、前記第１室内側見付け片及び前記連結部材の一方に設けられた第１凸部と、前記第１室内側見付け片及び前記連結部材の他方に設けられ、前記第１凸部が挿入される第１凹部と、前記第２室内側見付け片及び前記連結部材の一方に設けられた第２凸部と、前記第２室内側見付け片及び前記連結部材の他方に設けられ、前記第２凸部が挿入される第２凹部と、を有し、前記第１凸部は、見付け方向で前記第１凹部の中央に配置された第１位置、見付け方向で前記第１凹部の一側面に当接した第２位置、及び、見付け方向で前記第１凹部の他側面に当接した第３位置のいずれか１つの位置に配置され、前記第２凸部は、見付け方向で前記第２凹部の中央に配置された第１位置、見付け方向で前記第２凹部の一側面に当接した第２位置、及び、見付け方向で前記第２凹部の他側面に当接した第３位置のいずれか１つの位置に配置された構成としてもよい。そうすると、室内側位置合わせ部は、簡素な構成でありながらも枠材間の連結位置を所望の位置に確実に調整可能となる。
【００５４】
本発明に係る分割枠材において、前記連結部材は、前記第１の枠材に固定するための前記ねじが挿通される第１貫通孔と、前記第２の枠材に固定するための前記ねじが挿通される第２貫通孔と、を有し、前記第１貫通孔は、前記第１位置、前記第２位置、及び前記第３位置に対応するように、見付け方向で互いに位置ずれするように複数設けられ、前記第２貫通孔は、前記第１位置、前記第２位置、及び前記第３位置に対応するように、見付け方向で互いに位置ずれするように複数設けられた構成としてもよい。そうすると、連結位置を合わせた枠材間をねじを用いて容易に締結することができ、作業性が一層向上する。
【００５５】
本発明に係る分割枠材において、さらに、前記第１室内側見付け片と前記第２室内側見付け片とを覆うカバー部材を備え、前記カバー部材は、前記連結部材に取り付けられた構成としてもよい。そうすると、枠材間の連結位置に関わらず、常にカバー部材を当該分割枠材の見込み幅の中央に配置でき、外観意匠が向上する。
【００５６】
本発明に係る分割枠材において、前記位置合わせ部は、さらに、前記室外側連結部に設けられた室外側位置合わせ部を有し、前記室外側位置合わせ部は、前記第１室外側見付け片及び前記第２室外側見付け片の一方に設けられた係止片と、前記第１室外側見付け片及び前記第２室外側見付け片の他方に設けられ、前記係止片を係止する係止部と、を有し、前記係止部は、見付け方向で並列するように複数設けられた構成としてもよい。そうすると、室外側位置合わせ部についても、簡素な構成としつつも確実に所望の連結位置に調整できる。
【００５７】
本発明に係る分割枠材において、前記位置合わせ部は、前記室内側連結部に設けられた室内側位置合わせ部と、前記室外側連結部に設けられた室外側位置合わせ部と、を有し、前記室内側位置合わせ部は、前記第１室内側見付け片及び前記第２室内側見付け片の一方に設けられた室内側係止片と、前記第１室内側見付け片及び前記第２室内側見付け片の他方に設けられ、前記室内側係止片を係止する室内側係止部と、を有し、前記室外側位置合わせ部は、前記第１室外側見付け片及び前記第２室外側見付け片の一方に設けられた室外側係止片と、前記第１室外側見付け片及び前記第２室外側見付け片の他方に設けられ、前記室外側係止片を係止する室外側係止部と、を有し、前記室内側係止部及び前記室外側係止部は、見付け方向で並列するように複数設けられた構成としてもよい。そうすると、部品点数を低減して製造コストを低減しつつ、枠材間を所望の連結位置に調整できる。
【００５８】
本発明に係る建具は、上記構成の分割枠材を備えた建具であって、前記第１の枠材で構成された左縦枠と、右縦枠と、上枠と、下枠とを枠組みした第１の窓枠と、前記第２の枠材で構成された右縦枠と、左縦枠と、上枠と、下枠とを枠組みした第２の窓枠と、を備えることを特徴とする。このような構成によれば、例えば左縦枠と右縦枠とが連結された分割枠材を用いた連窓を施工する際、これら左縦枠と右縦枠との連結位置を円滑に調整できるため、施工作業の効率が向上する。
【００５９】
なお、本発明は、上記した実施形態に限定されるものではなく、本発明の主旨を逸脱しない範囲で自由に変更できることは勿論である。
【００６０】
上記では、室内側連結部３５ａ（３５ｃ）に室内側位置合わせ部３６（４２）を設け、室外側連結部３５ｂに室外側位置合わせ部３７を設けた構成を例示した。しかしながら、位置合わせ部は、室内側連結部３５ａ（３５ｃ）及び室外側連結部３５ｂの少なくとも一方に備えられていればよい。例えば上記分割枠材１０において、室内側連結部３５ａに室外側位置合わせ部３６を備え、室外側連結部３５ｂに室外側位置合わせ部３７を備えない構成とした場合、室外側連結部３５ｂは施工時に所定の治具等を用いて連結位置を調整すればよい。
【００６１】
上記した室内側位置合わせ部３６は、凹部２１ａ，２５ａの内側が例えば係止部２６ａ〜２６ｃと同様に３つの係止部に仕切られ、各係止部に凸部３０ｂ，３０ｃが選択的に係合することで、３段階に調整可能な構成等としてもよい。
【００６２】
上記した室内側位置合わせ部３６は、凸部３０ｂ，３０ｃが室内側見付け片２１，２５に設けられ、凹部２１ａ，２５ａが連結部材３０に設けられた構成であってもよい。また、上記した室外側位置合わせ部３７は、係止片２２ａが縦枠１６ｃの室外側見付け片２６に設けられ、係止部２６ａ〜２６ｃが縦枠１６ｄの室外側見付け片２２に設けられた構成であってもよい。さらに、上記した室内側位置合わせ部４２は、係止片４０ａが縦枠１６ｃの室内側見付け片４１に設けられ、係止部４１ａ〜４１ｃが縦枠１６ｄの室内側見付け片４０に設けられた構成であってもよい。
【符号の説明】
【００６３】
１０，１０Ａ  分割枠材、１１  建物、１２  建具、１６  窓枠、１６ａ  上枠、１６ｂ  下枠、１６ｃ〜１６ｆ  縦枠、２１，２５，４０，４１  室内側見付け片、２１ａ，２５ａ  凹部、２１ｄ，２１ｅ，２５ｄ，２５ｅ  側面、２２ａ，４０ａ  係止片、２２，２６  室外側見付け片、２６ａ〜２６ｃ，４１ａ〜４１ｃ  係止部、３０  連結部材、３０ｂ，３０ｃ  凸部、３２  カバー部材、３４ａ，３４ｂ，４４  ねじ、３６，４２  室内側位置合わせ部、３７  室外側位置合わせ部
【図１】
2020180501.tif 000003
【図２】
2020180501.tif 000004
【図３Ａ】
2020180501.tif 000005
【図３Ｂ】
2020180501.tif 000006
【図３Ｃ】
2020180501.tif 000007
【図４Ａ】
2020180501.tif 000008
【図４Ｂ】
2020180501.tif 000009
【図５】
2020180501.tif 000010
【図６Ａ】
2020180501.tif 000011
【図６Ｂ】
2020180501.tif 000012
【図６Ｃ】
2020180501.tif 000013
【図７】
2020180501.tif 000014